(57)【特許請求の範囲】
【請求項１】
移動拡張現実サーバが、移動拡張現実クライアントから送信された拡張現実ターゲットサーチ要求を受信し、
前記移動拡張現実サーバが、前記拡張現実ターゲットサーチ要求に携帯したサーチパラメータに基づいて、識別して返送すべき拡張現実ターゲットをサーチし、
前記移動拡張現実サーバが、前記既にサーチされた拡張現実ターゲットに関連する拡張現実ターゲットをサーチし、
前記移動拡張現実サーバが、サーチされた拡張現実ターゲットの情報を前記移動拡張現実クライアントに返送することを含み、
前記移動拡張現実サーバが前記既にサーチされた拡張現実ターゲットに関連する拡張現実ターゲットをサーチすることは、
前記移動拡張現実サーバが、前記サーチパラメータ中の第１のインジケーターに基づいて、拡張現実ターゲット関連関係を確定し、
前記移動拡張現実サーバが、前記既にサーチされた拡張現実ターゲットとの間に前記拡張現実ターゲット関連関係のある拡張現実ターゲットをサーチすることを含む移動拡張現実サーチ方法。
【請求項２】
前記拡張現実ターゲット関連関係が、包含関係、被包含関係、隣接関係の中の少なくとも一つを含む請求項１に記載の方法。
【請求項３】
前記拡張現実ターゲット関連関係が、父親関係、子供関係、歴史関係、未来関係の中の少なくとも一つを含む請求項１に記載の方法。
【請求項４】
前記移動拡張現実サーバが前記既にサーチされた拡張現実ターゲットに関連する拡張現実ターゲットをサーチすることは、
前記移動拡張現実サーバが、前記サーチパラメータに、前記既にサーチされた拡張現実ターゲットに関連する拡張現実ターゲットのサーチを指示するための第２のインジケーターが存在するか否かを判定し、
前記第２のインジケーターが存在すると、前記移動拡張現実サーバが前記既にサーチされた拡張現実ターゲットに関連する拡張現実ターゲットをさらにサーチすることを含む請求項１に記載の方法。
【請求項５】
前記移動拡張現実サーバが前記既にサーチされた拡張現実ターゲットに関連する拡張現実ターゲットをサーチした後、
前記移動拡張現実サーバが前記サーチパラメータに、前記既にサーチされた拡張現実ターゲットに関連する拡張現実ターゲットに対応する拡張現実コンテンツのサーチを指示するための第３のインジケーターが存在するか否かを判定し、
前記第３のインジケーターが存在すると、前記移動拡張現実サーバが前記既にサーチされた拡張現実ターゲットに関連する拡張現実ターゲットに対応する拡張現実コンテンツをサーチすることをさらに含む請求項１に記載の方法。
【請求項６】
移動拡張現実サーバが、移動拡張現実クライアントから送信された拡張現実コンテンツ取得要求を受信し、
前記移動拡張現実サーバが、前記拡張現実コンテンツ取得要求に携帯したパラメータに基づいて、取得して返送すべき拡張現実コンテンツをサーチし、
前記移動拡張現実サーバが、前記取得した拡張現実コンテンツに対応する拡張現実ターゲットに関連する拡張現実ターゲットをサーチし、
前記移動拡張現実サーバが、前記取得した拡張現実コンテンツ及び前記取得した拡張現実コンテンツに対応する拡張現実ターゲットに関連する拡張現実ターゲットの情報を前記移動拡張現実クライアントに返送することを含み、
前記移動拡張現実サーバが前記拡張現実コンテンツに対応する拡張現実ターゲットに関連する拡張現実ターゲットをサーチすることは、
前記移動拡張現実サーバが、前記パラメータ中の第１のインジケーターに基づいて、拡張現実ターゲット関連関係を確定し、
前記移動拡張現実サーバが、前記取得した拡張現実コンテンツに対応する拡張現実ターゲットと前記拡張現実ターゲット関連関係のある拡張現実ターゲットをサーチすることを含む移動拡張現実サーチ方法。
【請求項７】
前記拡張現実ターゲット関連関係が、父親関係、子供関係、歴史関係、未来関係の中の少なくとも一つを含む請求項６に記載の方法。
【請求項８】
前記移動拡張現実サーバが前記拡張現実コンテンツに対応する拡張現実ターゲットに関連する拡張現実ターゲットをサーチすることは、
前記移動拡張現実サーバが、前記パラメータに、前記取得した拡張現実コンテンツに対応する拡張現実ターゲットに関連する拡張現実ターゲットのサーチを指示するための第２のインジケーターが存在するか否かを判定し、
前記第２のインジケーターが存在すると、前記移動拡張現実サーバが、前記取得した拡張現実コンテンツに対応する拡張現実ターゲットに関連する拡張現実ターゲットをさらにサーチすることを含む請求項６に記載の方法。
【請求項９】
前記移動拡張現実サーバが前記拡張現実コンテンツに対応する拡張現実ターゲットに関連する拡張現実ターゲットをサーチした後、
前記移動拡張現実サーバが、前記パラメータに、前記取得した拡張現実コンテンツに対応する拡張現実ターゲットに関連する拡張現実ターゲットに対応する拡張現実コンテンツの取得を指示するための第３のインジケーターが存在するか否かを判定し、
前記第３のインジケーターが存在すると、前記移動拡張現実サーバが、前記取得した拡張現実コンテンツに対応する拡張現実ターゲットに関連する拡張現実ターゲットに対応する拡張現実コンテンツをサーチすることをさらに含む請求項６に記載の方法。
【請求項１０】
移動拡張現実クライアントが、ユーザコンテキスト及び/又はユーザ好みに基づいて、拡張現実ターゲットサーチ要求にて移動拡張現実サーバに拡張現実ターゲットのサーチ及び前記拡張現実ターゲットに関連する拡張現実ターゲットのサーチを要求するためのサーチパラメータを提供し、
前記移動拡張現実クライアントが、前記拡張現実ターゲットサーチ要求を前記移動拡張現実サーバに送信することを含み、
前記移動拡張現実クライアントがユーザコンテキスト及び/又はユーザ好みに基づいて、拡張現実ターゲットサーチ要求にてサーチパラメータを提供することは、
前記移動拡張現実クライアントが、前記サーチパラメータに拡張現実ターゲット関連関係を指示するための第１のインジケーターを追加することで、前記移動拡張現実サーバに前記拡張現実ターゲットと前記拡張現実ターゲット関連関係のある拡張現実ターゲットのサーチを要求することを含む移動拡張現実サーチ方法。
【請求項１１】
前記拡張現実ターゲット関連関係が、包含関係、被包含関係、隣接関係、父親関係、子供関係、歴史関係、未来関係の中の少なくとも一つを含む請求項１０に記載の方法。
【請求項１２】
前記移動拡張現実クライアントがユーザコンテキスト及び/又はユーザ好みに基づいて、拡張現実ターゲットサーチ要求にてサーチパラメータを提供することは、
前記移動拡張現実クライアントが前記サーチパラメータに前記拡張現実ターゲットに関連する拡張現実ターゲットのサーチを指示するための第２のインジケーターを追加することを含む請求項１０に記載の方法。
【請求項１３】
前記移動拡張現実クライアントがユーザコンテキスト及び/又はユーザ好みに基づいて、拡張現実ターゲットサーチ要求にてサーチパラメータを提供することは、
前記移動拡張現実クライアントが前記サーチパラメータに、前記移動拡張現実サーバに前記識別して返送すべき拡張現実ターゲットに関連する拡張現実ターゲットに対応する拡張現実コンテンツのサーチを指示するための第３のインジケーターを携帯することを含む請求項１０に記載の方法。
【請求項１４】
移動拡張現実クライアントが、拡張現実コンテンツ取得要求にて、移動拡張現実サーバに拡張現実コンテンツの取得及び取得した拡張現実コンテンツに対応する拡張現実ターゲットに関連する拡張現実ターゲットのサーチを指示するためのパラメータを提供し、
前記移動拡張現実クライアントが、前記拡張現実コンテンツ取得要求を前記移動拡張現実サーバに送信することを含み、
前記移動拡張現実クライアントが拡張現実コンテンツ取得要求にてパラメータを提供することは、
前記移動拡張現実クライアントが前記パラメータに拡張現実ターゲット関連関係を指示するための第１のインジケーターを追加することによって、前記移動拡張現実サーバに取得した拡張現実コンテンツに対応する拡張現実ターゲットに関連する拡張現実ターゲットのサーチを要求することを含む移動拡張現実サーチ方法。
【請求項１５】
前記拡張現実ターゲット関連関係が、包含関係、被包含関係、隣接関係、父親関係、子供関係、歴史関係、未来関係の中の少なくとも一つを含む請求項１４に記載の方法。
【請求項１６】
前記移動拡張現実クライアントが拡張現実コンテンツ取得要求にてパラメータを提供することは、
前記移動拡張現実クライアントが前記パラメータに、取得した拡張現実コンテンツに対応する拡張現実ターゲットに関連する拡張現実ターゲットのサーチを指示するための第２のインジケーターを追加することをさらに含む請求項１４に記載の方法。
【請求項１７】
前記移動拡張現実クライアントが拡張現実コンテンツ取得要求にてパラメータを提供することは、
前記移動拡張現実クライアントが前記パラメータに、前記移動拡張現実サーバに取得した拡張現実コンテンツに対応する拡張現実ターゲットに関連する拡張現実ターゲットに対応する拡張現実コンテンツの取得を指示するための第３のインジケーターを携帯することを含む請求項１４に記載の方法。
【請求項１８】
移動拡張現実クライアントが、移動拡張現実サーバから返送される拡張現実ターゲットサーチ応答であって、前記移動拡張現実サーバが前記移動拡張現実クライアントから送信された、拡張現実ターゲット関連関係を確定するための第１のインジケーターを含むサーチパラメータが携帯された拡張現実ターゲットサーチ要求を受信した後に送信した拡張現実ターゲットサーチ応答を受信し、
前記移動拡張現実クライアントが前記拡張現実ターゲットサーチ応答に携帯した拡張現実ターゲットの情報を抽出し、
前記移動拡張現実クライアントが、前記拡張現実ターゲットの情報に基づいて、拡張現実ターゲット間の関連関係を表示することを含む移動拡張現実サーチ方法。
【請求項１９】
前記移動拡張現実クライアントが拡張現実ターゲットとの関連関係を表示することは、
前記移動拡張現実クライアントがサーチ範囲内の全ての拡張現実ターゲット間の関連関係を表示し、又は、
前記移動拡張現実クライアントが一つの拡張現実ターゲットに対応する関連関係を表示することを含む請求項１８に記載の方法。
【請求項２０】
前記関連関係が、包含関係、被包含関係、隣接関係、父親関係、子供関係、歴史関係、未来関係の中の少なくとも一つを含む請求項１８又は１９に記載の方法。
【請求項２１】
移動拡張現実クライアントから送信された拡張現実ターゲットサーチ要求を受信する受信ユニットと、
前記拡張現実ターゲットサーチ要求に携帯したサーチパラメータに基づいて、識別して返送すべき拡張現実ターゲットをサーチする第１のサーチユニットと、
前記サーチパラメータ中の第１のインジケーターに基づいて、拡張現実ターゲット関連関係を確定し、既にサーチされた拡張現実ターゲットとの間に前記拡張現実ターゲット関連関係のある拡張現実ターゲットをサーチするように、前記既にサーチされた拡張現実ターゲットに関連する拡張現実ターゲットをサーチする第２のサーチユニットと、
前記サーチされた拡張現実ターゲットの情報を前記移動拡張現実クライアントに返送する返送ユニットと、を含む移動拡張現実サーバ。
【請求項２２】
移動拡張現実クライアントから送信された拡張現実コンテンツ取得要求を受信する受信ユニットと、
前記拡張現実コンテンツ取得要求に携帯したパラメータに基づいて、取得して返送すべき拡張現実コンテンツをサーチする第１のサーチユニットと、
前記サーチパラメータ中の第１のインジケーターに基づいて、拡張現実ターゲット関連関係を確定し、取得した拡張現実コンテンツに対応する拡張現実ターゲットと前記拡張現実ターゲット関連関係のある拡張現実ターゲットをサーチするように、前記取得した拡張現実コンテンツに対応する拡張現実ターゲットに関連する拡張現実ターゲットをサーチする第２のサーチユニットと、
前記取得した拡張現実コンテンツ及び前記取得した拡張現実コンテンツに対応する拡張現実ターゲットに関連する拡張現実ターゲットの情報を前記移動拡張現実クライアントに返送する返送ユニットと、を含む移動拡張現実サーバ。
【請求項２３】
サーチパラメータに拡張現実ターゲット関連関係を指示するための第１のインジケーターを追加することで、移動拡張現実サーバに拡張現実ターゲットと前記拡張現実ターゲット関連関係のある拡張現実ターゲットのサーチを要求するように、ユーザコンテキスト及び/又はユーザ好みに基づいて、拡張現実ターゲットサーチ要求にて、移動拡張現実サーバに拡張現実ターゲット及び拡張現実ターゲットに関連する拡張現実ターゲットのサーチを要求するためのサーチパラメータを提供する提供ユニットと、
前記拡張現実ターゲットサーチ要求を移動拡張現実サーバに送信する送信ユニットと、を含む移動拡張現実クライアント。
【請求項２４】
パラメータに拡張現実ターゲット関連関係を指示するための第１のインジケーターを追加することによって、移動拡張現実サーバに取得した拡張現実コンテンツに対応する拡張現実ターゲットに関連する拡張現実ターゲットのサーチを要求するように、拡張現実コンテンツ取得要求にて、移動拡張現実サーバに拡張現実コンテンツの取得及び取得した拡張現実コンテンツに対応する拡張現実ターゲットに関連する拡張現実ターゲットのサーチを要求するためのパラメータを提供する提供ユニットと、
前記拡張現実コンテンツ取得要求を前記移動拡張現実サーバに送信する送信ユニットと、を含む移動拡張現実クライアント。
【請求項２５】
移動拡張現実サーバから返送された拡張現実ターゲットサーチ応答であって、前記移動拡張現実サーバが前記移動拡張現実クライアントから送信された、拡張現実ターゲット関連関係を確定するための第１のインジケーターを含むサーチパラメータが携帯された拡張現実ターゲットサーチ要求を受信した後に送信した拡張現実ターゲットサーチ応答を受信する受信ユニットと、
前記拡張現実ターゲットサーチ応答に携帯した拡張現実ターゲットの情報を抽出する抽出ユニットと、
前記拡張現実ターゲットの情報に基づいて、拡張現実ターゲット間の関連関係を表示する表示ユニットと、を含む移動拡張現実クライアント。
【請求項２６】
請求項２１又は２２に記載の移動拡張現実サーバと請求項２３乃至２５の中のいずれかに記載の移動拡張現実クライアントとを含む移動拡張現実サーチシステム。
【発明の詳細な説明】
【技術分野】
【０００１】
本発明は、通信分野に関し、具体的に、移動拡張現実サーチ方法、クライアント、サーバ及びサーチシステムに関するものである。
【背景技術】
【０００２】
インテリジェント端末、移動ネットワーク技術の成熟及び発展に伴って、実験室に限られていた拡張現実（Augmented  Reality、以下、ＡＲと略称する）技術は人々の視野に入り始め、多くの画像認識、端末測位技術に基づくネットワーク/移動ネットワークＡＲアプリが大量に現れ、モバイル拡張現実（Mobile AR）アプリと呼ばれ、当該分野で注目を集めていて、技術研究中心になっている。
【０００３】
モバイル拡張現実技術の研究及び応用により、虚構の拡張現実情報を真実の世界に応用して、ユーザが周囲世界を観察する方式を、伝統的なテキストの入力に基づくウェブ（WEB）ページ訪問調査モードから、カメラによる撮影に基づく焦点捕捉及び補強情報をリアルタイムに訪問する新規モードに変換した。
【０００４】
モバイル拡張現実ユーザがモバイル拡張現実端末（例えば、スマートフォン）を用いて周囲風物を撮影しながら拡張現実業務体験を得るには以下のような状況がある。ユーザの移動端末で運行する拡張現実アプリ（AR Application）がユーザの現在位置に基づいてＡＲ業務事業者が配置した拡張現実ターゲット（AR Target）、例えば地理位置に関連するホットスポット（ＰＯＩ）を捕捉し、ユーザの選択に応じて文字、写真、オーディオ、ビデオを含む拡張現実コンテンツ（AR Contents）を取得する。最終的に、ユーザ端末の地理指紋情報（例えば、経度、緯度、方向等）を結合して取得した拡張現実コンテンツと端末カメラがリアルタイムに撮影した周囲の実際風景とをスクリーン上で融合して表示し、独特な拡張現実業務を体験を実現する。
【０００５】
ＡＲユーザは、拡張現実サービスを利用する場合、たまには関連する拡張現実情報を連続的にアクセスすることを希望することもあり、例えば、ユーザが買い物する時、同類の拡張現実コンテンツを比較して最終的に如何に買うかを決めることを希望し、ここでの拡張現実コンテンツは、主に、サービスの説明又は製品の広告などである。しかし、既存の拡張現実アプリはただ、ユーザの位置又は現在カメラが捕捉した実際風景に基づいて興味点をサーチし、即ち、ある興味点がユーザの予定のサーチ範囲に入る又はカメラに捕捉されると、当該興味点はサーチされて関連する拡張現実コンテンツに返送され、そうではないと、ユーザは当該興味点を把握できず、つまり、当該拡張現実ターゲットの存在を把握できない。
【０００６】
上記処理方式には問題が存在し、先ず、ユーザがある興味のあるホットスポットを逃して何の提示も得られない恐れがある。次に、拡張現実ターゲット自体に基づくサーチであるので、対応する拡張サーチがなく、ユーザが取得した拡張現実情報が非全面的で、拡張現実サービスの需要を満たすことのできない恐れがある。
上記の問題に対し、現在、有効な解決案が提示されていない。
【発明の概要】
【発明が解決しようとする課題】
【０００７】
本発明は、少なくとも既存技術における拡張現実ターゲット自体に基づくサーチによってユーザが取得した拡張現実情報が非全面的である課題を解決できる移動拡張現実サーチ方法、クライアント、サーバ及びサーチシステムを提供することを目的とする。
【課題を解決するための手段】
【０００８】
本発明の一態様によると、移動拡張現実サーバが、移動拡張現実クライアントから送信された拡張現実ターゲットサーチ要求を受信し、移動拡張現実サーバが、拡張現実ターゲットサーチ要求に携帯したサーチパラメータに基づいて、識別して返送すべき拡張現実ターゲットをサーチし、移動拡張現実サーバが、既にサーチされた拡張現実ターゲットに関連する拡張現実ターゲットをサーチし、移動拡張現実サーバが、サーチされた拡張現実ターゲットの情報を移動拡張現実クライアントに返送することを含む移動拡張現実サーチ方法を提供する。
【０００９】
移動拡張現実サーバが既にサーチされた拡張現実ターゲットに関連する拡張現実ターゲットをサーチすることは、移動拡張現実サーバが、サーチパラメータ中の第１のインジケーターに基づいて、拡張現実ターゲット関連関係を確定し、移動拡張現実サーバが、既にサーチされた拡張現実ターゲットとの間に拡張現実ターゲット関連関係のある拡張現実ターゲットをサーチすることを含むことが好ましい。
【００１０】
拡張現実ターゲット関連関係が、包含関係、被包含関係、隣接関係の中の少なくとも一つを含むことが好ましい。
【００１１】
拡張現実ターゲット関連関係が、父親関係、子供関係、歴史関係、未来関係の中の少なくとも一つを含むことが好ましい。
【００１２】
移動拡張現実サーバが既にサーチされた拡張現実ターゲットに関連する拡張現実ターゲットをサーチすることは、移動拡張現実サーバが、サーチパラメータに、既にサーチされた拡張現実ターゲットに関連する拡張現実ターゲットのサーチを指示するための第２のインジケーターが存在するか否かを判定し、第２のインジケーターが存在すると、移動拡張現実サーバが既にサーチされた拡張現実ターゲットに関連する拡張現実ターゲットをさらにサーチすることを含むことが好ましい。
【００１３】
移動拡張現実サーバが既にサーチされた拡張現実ターゲットに関連する拡張現実ターゲットをサーチした後、当該移動拡張現実サーチ方法が、移動拡張現実サーバがサーチパラメータに、既にサーチされた拡張現実ターゲットに関連する拡張現実ターゲットに対応する拡張現実コンテンツのサーチを指示するための第３のインジケーターが存在するか否かを判定し、第３のインジケーターが存在すると、移動拡張現実サーバが既にサーチされた拡張現実ターゲットに関連する拡張現実ターゲットに対応する拡張現実コンテンツをサーチすることをさらに含むことが好ましい。
【００１４】
本発明の他の態様によると、移動拡張現実サーバが、移動拡張現実クライアントから送信された拡張現実コンテンツ取得要求を受信し、移動拡張現実サーバが、拡張現実コンテンツ取得要求に携帯したパラメータに基づいて、取得して返送すべき拡張現実コンテンツをサーチし、移動拡張現実サーバが、取得した拡張現実コンテンツに対応する拡張現実ターゲットに関連する拡張現実ターゲットをサーチし、移動拡張現実サーバが、取得した拡張現実コンテンツ及び取得した拡張現実コンテンツに対応する拡張現実ターゲットに関連する拡張現実ターゲットの情報を移動拡張現実クライアントに返送することを含む他の移動拡張現実サーチ方法を提供する。
【００１５】
移動拡張現実サーバが拡張現実コンテンツに対応する拡張現実ターゲットに関連する拡張現実ターゲットをサーチすることは、移動拡張現実サーバが、パラメータ中の第１のインジケーターに基づいて、拡張現実ターゲット関連関係を確定し、移動拡張現実サーバが、取得した拡張現実コンテンツに対応する拡張現実ターゲットと拡張現実ターゲット関連関係のある拡張現実ターゲットをサーチすることを含むことが好ましい。
【００１６】
拡張現実ターゲット関連関係が、父親関係、子供関係、歴史関係、未来関係の中の少なくとも一つを含むことが好ましい。
【００１７】
移動拡張現実サーバが拡張現実コンテンツに対応する拡張現実ターゲットに関連する拡張現実ターゲットをサーチすることは、移動拡張現実サーバが、パラメータに、取得した拡張現実コンテンツに対応する拡張現実ターゲットに関連する拡張現実ターゲットのサーチを指示するための第２のインジケーターが存在するか否かを判定し、第２のインジケーターが存在すると、移動拡張現実サーバが、取得した拡張現実コンテンツに対応する拡張現実ターゲットに関連する拡張現実ターゲットをさらにサーチすることを含むことが好ましい。
【００１８】
移動拡張現実サーバが拡張現実コンテンツに対応する拡張現実ターゲットに関連する拡張現実ターゲットをサーチした後、当該方法が、移動拡張現実サーバが、パラメータに、取得した拡張現実コンテンツに対応する拡張現実ターゲットに関連する拡張現実ターゲットに対応する拡張現実コンテンツの取得を指示するための第３のインジケーターが存在するか否かを判定し、第３のインジケーターが存在すると、移動拡張現実サーバが、取得した拡張現実コンテンツに対応する拡張現実ターゲットに関連する拡張現実ターゲットに対応する拡張現実コンテンツをサーチすることをさらに含むことが好ましい。
【００１９】
本発明の他の態様によると、移動拡張現実クライアントが、ユーザコンテキスト及び/又はユーザ好みに基づいて、拡張現実ターゲットサーチ要求にて移動拡張現実サーバに拡張現実ターゲットのサーチ及び拡張現実ターゲットに関連する拡張現実ターゲットのサーチを要求するためのサーチパラメータを提供し、移動拡張現実クライアントが、拡張現実ターゲットサーチ要求を移動拡張現実サーバに送信することを含む移動拡張現実サーチ方法を提供する。
【００２０】
移動拡張現実クライアントがユーザコンテキスト及び/又はユーザ好みに基づいて、拡張現実ターゲットサーチ要求にてサーチパラメータを提供することは、移動拡張現実クライアントが、サーチパラメータに拡張現実ターゲット関連関係を指示するための第１のインジケーターを追加することで、移動拡張現実サーバに拡張現実ターゲットと拡張現実ターゲット関連関係のある拡張現実ターゲットのサーチを要求することを含むことが好ましい。
【００２１】
拡張現実ターゲット関連関係が、包含関係、被包含関係、隣接関係、父親関係、子供関係、歴史関係、未来関係の中の少なくとも一つを含むことが好ましい。
【００２２】
移動拡張現実クライアントがユーザコンテキスト及び/又はユーザ好みに基づいて、拡張現実ターゲットサーチ要求にてサーチパラメータを提供することは、移動拡張現実クライアントがサーチパラメータに拡張現実ターゲットに関連する拡張現実ターゲットのサーチを指示するための第２のインジケーターを追加することを含むことが好ましい。
【００２３】
移動拡張現実クライアントがユーザコンテキスト及び/又はユーザ好みに基づいて、拡張現実ターゲットサーチ要求にてサーチパラメータを提供することは、移動拡張現実クライアントがサーチパラメータに、移動拡張現実サーバに識別して返送すべき拡張現実ターゲットに関連する拡張現実ターゲットに対応する拡張現実コンテンツのサーチを指示するための第３のインジケーターを携帯することを含むことが好ましい。
【００２４】
本発明の他の態様によると、移動拡張現実クライアントが、拡張現実コンテンツ取得要求にて、移動拡張現実サーバに拡張現実コンテンツの取得及び取得した拡張現実コンテンツに対応する拡張現実ターゲットに関連する拡張現実ターゲットのサーチを指示するためのパラメータを提供し、移動拡張現実クライアントが、拡張現実コンテンツ取得要求を移動拡張現実サーバに送信することを含む移動拡張現実サーチ方法を提供する。
【００２５】
移動拡張現実クライアントが拡張現実コンテンツ取得要求にてパラメータを提供することは、移動拡張現実クライアントがパラメータに拡張現実ターゲット関連関係を指示するための第１のインジケーターを追加することによって、移動拡張現実サーバに取得した拡張現実コンテンツに対応する拡張現実ターゲットに関連する拡張現実ターゲットのサーチを要求することを含むことが好ましい。
【００２６】
拡張現実ターゲット関連関係が、包含関係、被包含関係、隣接関係、父親関係、子供関係、歴史関係、未来関係の中の少なくとも一つを含むことが好ましい。
【００２７】
移動拡張現実クライアントが拡張現実コンテンツ取得要求にてパラメータを提供することは、移動拡張現実クライアントがパラメータに、取得した拡張現実コンテンツに対応する拡張現実ターゲットに関連する拡張現実ターゲットのサーチを指示するための第２のインジケーターを追加することをさらに含むことが好ましい。
【００２８】
移動拡張現実クライアントが拡張現実コンテンツ取得要求にてパラメータを提供することは、移動拡張現実クライアントがパラメータに、移動拡張現実サーバに取得した拡張現実コンテンツに対応する拡張現実ターゲットに関連する拡張現実ターゲットに対応する拡張現実コンテンツの取得を指示するための第３のインジケーターを携帯することを含むことが好ましい。
【００２９】
本発明の他の態様によると、移動拡張現実クライアントが、移動拡張現実サーバから返送される拡張現実ターゲットサーチ応答を受信し、移動拡張現実クライアントが拡張現実ターゲットサーチ応答に携帯した拡張現実ターゲットの情報を抽出し、移動拡張現実クライアントが、拡張現実ターゲットの情報に基づいて、拡張現実ターゲット間の関連関係を表示することを含む移動拡張現実サーチ方法を提供する。
【００３０】
移動拡張現実クライアントが拡張現実ターゲットとの関連関係を表示することは、移動拡張現実クライアントがサーチ範囲内の全ての拡張現実ターゲット間の関連関係を表示し、又は、移動拡張現実クライアントが一つの拡張現実ターゲットに対応する関連関係を表示することを含むことが好ましい。
【００３１】
関連関係が、包含関係、被包含関係、隣接関係、父親関係、子供関係、歴史関係、未来関係の中の少なくとも一つを含むことが好ましい。
【００３２】
本発明の他の態様によると、移動拡張現実クライアントから送信された拡張現実ターゲットサーチ要求を受信する受信ユニットと、拡張現実ターゲットサーチ要求に携帯したサーチパラメータに基づいて、識別して返送すべき拡張現実ターゲットをサーチする第１のサーチユニットと、既にサーチされた拡張現実ターゲットに関連する拡張現実ターゲットをサーチする第２のサーチユニットと、サーチされた拡張現実ターゲットの情報を移動拡張現実クライアントに返送する返送ユニットと、を含む移動拡張現実サーバを提供する。
【００３３】
本発明の他の態様によると、移動拡張現実クライアントから送信された拡張現実コンテンツ取得要求を受信する受信ユニットと、拡張現実コンテンツ取得要求に携帯したパラメータに基づいて、取得して返送すべき拡張現実コンテンツをサーチする第１のサーチユニットと、取得した拡張現実コンテンツに対応する拡張現実ターゲットに関連する拡張現実ターゲットをサーチする第２のサーチユニットと、取得した拡張現実コンテンツ及び取得した拡張現実コンテンツに対応する拡張現実ターゲットに関連する拡張現実ターゲットの情報を移動拡張現実クライアントに返送する返送ユニットと、を含む移動拡張現実サーバを提供する。
【００３４】
本発明の他の態様によると、ユーザコンテキスト及び/又はユーザ好みに基づいて、拡張現実ターゲットサーチ要求にて、移動拡張現実サーバに拡張現実ターゲット及び拡張現実ターゲットに関連する拡張現実ターゲットのサーチを要求するためのサーチパラメータを提供する提供ユニットと、拡張現実ターゲットサーチ要求を移動拡張現実サーバに送信する送信ユニットと、を含む移動拡張現実クライアントを提供する。
【００３５】
本発明の他の態様によると、拡張現実コンテンツ取得要求にて、移動拡張現実サーバに拡張現実コンテンツの取得及び取得した拡張現実コンテンツに対応する拡張現実ターゲットに関連する拡張現実ターゲットのサーチを要求するためのパラメータを提供する提供ユニットと、拡張現実コンテンツ取得要求を移動拡張現実サーバに送信する送信ユニットと、を含む移動拡張現実クライアントを提供する。
【００３６】
本発明の他の態様によると、移動拡張現実サーバから返送された拡張現実ターゲットサーチ応答を受信する受信ユニットと、拡張現実ターゲットサーチ応答に携帯した拡張現実ターゲットの情報を抽出する抽出ユニットと、拡張現実ターゲットの情報に基づいて、拡張現実ターゲット間の関連関係を表示する表示ユニットと、を含む移動拡張現実クライアントを提供する。
【００３７】
本発明の他の態様によると、上記移動拡張現実サーバと上記移動拡張現実クライアントとを含む移動拡張現実サーチシステムを提供する。
【発明の効果】
【００３８】
本発明において、移動拡張現実サーバは、拡張現実ターゲットサーチ要求又は拡張現実コンテンツ取得要求に携帯した関連する拡張現実ターゲットのサーチ指示情報に基づいて、関連する拡張現実ターゲットのサーチを行うことによって、既存技術において要求中の対象のみをサーチすることでサーチ結果が非全面的である問題を解決し、拡張現実アプリ中にサーチされた情報がさらに全面的である技術効果を実現でき、ユーザがさらに全面的な拡張現実情報を取得でき、拡張現実アプリのユーザ体験を向上させる。
【図面の簡単な説明】
【００３９】
ここで説明する図面は本発明を理解させるためのもので、本発明の一部を構成し、本発明における実施例と共に本発明を解釈し、本発明を不当に限定するのではない。
【図１】図１は、本発明の実施例に係わる移動拡張現実サーチ方法の好適なフローチャートである。
【図２】図２は、本発明の実施例に係わる移動拡張現実サーチ方法の他の好適なフローチャートである。
【図３】図３は、本発明の実施例に係わる移動拡張現実サーチ方法の他の好適なフローチャートである。
【図４】図４は、本発明の実施例に係わる移動拡張現実サーチシステムの好適な構造ブロック図である。
【図５】図５は、本発明の実施例に係わる移動拡張現実サーチ装置の他の好適な構造ブロック図である。
【図６】図６は、本発明の実施例に係わる移動拡張現実サーチ方法の他の好適なフローチャートである。
【図７】図７は、本発明の実施例に係わる移動拡張現実サーチ方法の他の好適なフローチャートである。
【図８】図８は、本発明の実施例に係わる移動拡張現実サーチ装置の他の好適な構造ブロック図である。
【図９】図９は、本発明の実施例に係わる関係型興味点に基づく移動拡張現実システムの構造を示す図である。
【図１０】図１０は、本発明の実施例に係わる関係型興味点に基づく移動拡張現実システムの他の構造を示す図である。
【図１１】図１１は、本発明の実施例に係わる関係型興味点に基づく移動拡張現実システムの他の構造を示す図である。
【図１２】図１２は、本発明の実施例に係わる関係型興味点に基づく移動拡張現実サーバによるサービス要求のサーチ方法の好適なフローチャートである。
【図１３】図１３は、本発明の実施例に係わる関係型興味点に基づく移動拡張現実サーバによるサービス要求のサーチ方法の好適なフローチャートである。
【図１４】図１４は、本発明の実施例に係わる関係型興味点に基づく移動拡張現実サーバによるサービス要求のサーチ方法の他の好適なフローチャートである。
【図１５】図１５は、本発明の実施例に係わる関係型興味点に基づく移動拡張現実サーバによるサービス要求のサーチ方法を示す図である。
【図１６】図１６は、本発明の実施例に係わる関係型興味点に基づく移動拡張現実サーバによるサービス要求のサーチ方法を示す他の図である。
【図１７】図１７は、本発明の実施例に係わる関係型興味点に基づく移動拡張現実サーバによるサービス要求のサーチ方法を示す他の図である。
【発明を実施するための形態】
【００４０】
以下、図面を参照しつつ実施例を結合して本発明を詳しく説明する。ここで、互いに衝突しない限り、本願の実施例及び実施例に記載の特徴を互いに組み合わせることができる。
実施例１
本発明の実施例によると好適な移動拡張現実サーチ方法を提供し、当該方法は主に、拡張現実ターゲットサーチ要求に応じて行われ、図１に示すように、当該方法は以下のステップを含む。
移動拡張現実クライアントが、ユーザコンテキスト及び/又はユーザ好みに応じて、拡張現実ターゲットサーチ要求にサーチパラメータを提供して（Ｓ１０２）、ここで、サーチパラメータは、移動拡張現実サーバに拡張現実ターゲットのサーチ及び拡張現実ターゲットに関連する拡張現実ターゲットのサーチを要求するに用いられる。
移動拡張現実クライアントが、拡張現実ターゲットサーチ要求を移動拡張現実サーバに送信する（Ｓ１０４）。
【００４１】
上記の好適な実施形態において、移動拡張現実クライアントは、生成した拡張現実ターゲットサーチ要求にサーチに関連する拡張現実ターゲットの指示情報を追加することで、関連する拡張現実ターゲットのサーチを実現し、既存技術において要求中の対象のみをサーチすることでサーチ結果が非全面的である問題を解決し、拡張現実アプリ中のサーチされる情報がさらに全面である技術的効果を実現でき、ユーザがさらに全面な拡張現実情報を取得でき、拡張現実アプリのユーザ体験を向上できる。
【００４２】
上記のユーザコンテキストとは、ユーザの状態を示し、ユーザの地理位置及び/又はユーザの表示情報を含むことができるが、これらに限定されることはない。
【００４３】
好適な実施形態において、移動拡張現実クライアントが、ユーザコンテキスト及び/又はユーザ好みに応じて拡張現実ターゲットサーチ要求にてサーチパラメータを提供する、又は移動拡張現実クライアントがサーチパラメータに拡張現実ターゲット関連関係を指示するための第１のインジケーターを追加することによって、移動拡張現実サーバに拡張現実ターゲットと拡張現実ターゲット関連関係のある拡張現実ターゲットをサーチするように要求することができる。ここで、当該拡張現実ターゲット関連関係は、包含関係、被包含関係、隣接関係、父親関係、子供関係、歴史関係、未来関係の中の少なくとも一つを含むが、これらに限定されることはない。当該第１のインジケーターは、「関連する拡張現実ターゲットサーチ関係」のサーチパラメータ値であることができる。
【００４４】
移動拡張現実クライアントは、ユーザコンテキスト及び/又はユーザ好みに応じて、サーチパラメータに他の指示情報を追加することもでき、好適な実施形態において、移動拡張現実クライアントはサーチパラメータに、拡張現実ターゲットに関連する拡張現実ターゲットのサーチを指示するための第２のインジケーターを追加している。ここで、第２のインジケーターは、「関連する拡張現実ターゲットサーチインジケーター」であることができる。
【００４５】
好適な実施形態において、移動拡張現実クライアントがユーザコンテキスト及び/又はユーザ好みに応じて、拡張現実ターゲットサーチ要求にてサーチパラメータを提供するステップは、移動拡張現実クライアントが、サーチパラメータに、移動拡張現実サーバに識別して返送すべき拡張現実ターゲットに関連する拡張現実ターゲットに対応する拡張現実コンテンツをサーチするように指示するための第３のインジケーターを携帯するステップを含む。ここで、当該第３のインジケーターは、「拡張現実コンテンツバッファインジケーター」であることができる。
【００４６】
ステップＳ１０４の後に、移動拡張現実サーバは、当該拡張現実ターゲットサーチ要求に基づいて、拡張現実ターゲットのサーチを行い、本発明の実施例によると、具体的なサーチ方法を提供し、図２に示すように、以下のステップを含む。
移動拡張現実サーバは、移動拡張現実クライアントから送信された拡張現実ターゲットサーチ要求を受信する（Ｓ２０２）。
移動拡張現実サーバは、拡張現実ターゲットサーチ要求に携帯したサーチパラメータに基づいて、識別して返送すべき拡張現実ターゲットをサーチする（Ｓ２０４）。
移動拡張現実サーバは、既にサーチされた拡張現実ターゲットに関連する拡張現実ターゲットをサーチする（Ｓ２０６）。
移動拡張現実サーバは、サーチされた拡張現実ターゲットの情報を移動拡張現実クライアントに返送する（Ｓ２０８）。
【００４７】
上記の好適な実施形態において、移動拡張現実サーバが拡張現実ターゲットサーチ要求に携帯したサーチに関連する拡張現実ターゲットの指示情報に基づいて関連する拡張現実ターゲットをサーチすることによって、既存技術においてただ要求中の対象のみをサーチした際にサーチ結果が非全面的である問題を解決し、拡張現実アプリ中にサーチされた情報がさらに全面的である技術効果を実現し、ユーザがさらに全面的な拡張現実情報を取得でき、拡張現実アプリのユーザ体験を向上させる。
【００４８】
好適な実施形態において、移動拡張現実サーバは、移動拡張現実サーバがサーチパラメータ中の第１のインジケーターに基づいて、拡張現実ターゲット関連関係を確定し、移動拡張現実サーバが既にサーチされた拡張現実ターゲットとの間に拡張現実ターゲット関連関係のある拡張現実ターゲットをサーチする方式で、既にサーチされた拡張現実ターゲットに関連する拡張現実ターゲットをサーチする。ここで、当該拡張現実ターゲット関連関係は、包含関係、被包含関係、隣接関係、父親関係、子供関係、歴史関係、未来関係の中の少なくとも一つを含むが、これらに限定されることはない。
【００４９】
好適な実施形態において、移動拡張現実サーバは、移動拡張現実サーバがサーチパラメータに、既にサーチされた拡張現実ターゲットに関連する拡張現実ターゲットのサーチを指示するための第２のインジケーターが存在するか否かを判定し、第２のインジケーターが存在すると、移動拡張現実サーバが既にサーチされた拡張現実ターゲットに関連する拡張現実ターゲットをさらにサーチする方式で、既にサーチされた拡張現実ターゲットに関連する拡張現実ターゲットをサーチする。即ち、サーチパラメータに第２のインジケーター（当該第２のインジケーターが関連する拡張現実ターゲットサーチインジケーターであることができる）を携帯していると、既にサーチされた拡張現実ターゲットに関連する拡張現実ターゲットをサーチし、そうではないと、関連するターゲットのサーチを行わない。
【００５０】
好適な実施形態において、移動拡張現実サーバが既にサーチされた拡張現実ターゲットに関連する拡張現実ターゲットをサーチした後、当該移動拡張現実サーチ方法は、移動拡張現実サーバが、サーチパラメータに、既にサーチされた拡張現実ターゲットに関連する拡張現実ターゲットに対応する拡張現実コンテンツのサーチを指示するための第３のインジケーターが存在するか否かを判定し、第３のインジケーターが存在すると、移動拡張現実サーバが既にサーチされた拡張現実ターゲットに関連する拡張現実ターゲットに対応する拡張現実コンテンツをサーチするステップをさらに含む。即ち、サーチパラメータに第３のインジケーター（当該第３のインジケーターは拡張現実コンテンツバッファインジケーターであることができる）を携帯していると、既にサーチされた拡張現実ターゲットに関連する拡張現実ターゲットに対応する拡張現実コンテンツをサーチし、そうではないと、関連するコンテンツのサーチを行わない。
【００５１】
ステップＳ２０８の後、サーチされた情報を展示しなければならず、本発明の実施例によると、拡張現実の展示方法を提供し、図３に示すように、具体的に以下のステップを含む。移動拡張現実クライアントが、移動拡張現実サーバから返送される拡張現実ターゲットサーチ応答を受信する（Ｓ３０２）。
移動拡張現実クライアントが、拡張現実ターゲットサーチ応答に携帯した拡張現実ターゲットの情報を抽出する（Ｓ３０４）。
移動拡張現実クライアントが、拡張現実ターゲットの情報に基づいて、拡張現実ターゲット間の関連関係を表示する（Ｓ３０６）。
【００５２】
好適な実施形態において、移動拡張現実クライアントは、
１）移動拡張現実クライアントがサーチ範囲内の全ての拡張現実ターゲット間の関連関係を表示する、又は、
２）移動拡張現実クライアントが一つの拡張現実ターゲットに対応する関連関係を表示する方式で、拡張現実ターゲット間の関連関係を表示する。
【００５３】
上記の関連関係は、包含関係、被包含関係、隣接関係、父親関係、子供関係、歴史関係、未来関係の中の少なくとも一つを含むが、それに限定されることはない。
【００５４】
本発明の実施例によると、好適な移動拡張現実サーチシステムを提供し、図４に示すように、移動拡張現実サーバ４０２と、移動拡張現実クライアント４０４とを含む。
ここで、当該移動拡張現実サーバ４０２は、移動拡張現実クライアントが送信した拡張現実ターゲットサーチ要求を受信する第１の受信ユニット４０２２と、拡張現実ターゲットサーチ要求に携帯したサーチパラメータに基づいて、識別して返送すべき拡張現実ターゲットをサーチする第１のサーチユニット４０２４と、既にサーチされた拡張現実ターゲットに関連する拡張現実ターゲットをサーチする第２のサーチユニット４０２６と、サーチされた拡張現実ターゲットの情報を移動拡張現実クライアントに返送する第１の返送ユニット４０２８と、を含む。
当該移動拡張現実クライアント４０４は、ユーザコンテキスト及び/又はユーザ好みに応じて、拡張現実ターゲットサーチ要求にて、移動拡張現実サーバに拡張現実ターゲット及び拡張現実ターゲットに関連する拡張現実ターゲットのサーチを指示するためのサーチパラメータを提供する第１の提供ユニット４０４２と、拡張現実ターゲットサーチ要求を移動拡張現実サーバに送信する第１の送信ユニット４０４４と、を含む。
【００５５】
好適な実施形態において、図５に示すように、移動拡張現実クライアント４０４は、移動拡張現実サーバが返送した拡張現実ターゲットサーチ応答を受信する第２の受信ユニット５０２と、拡張現実ターゲットサーチ応答に携帯した拡張現実ターゲットの情報を抽出する抽出ユニット５０４と、拡張現実ターゲットの情報に基づいて、拡張現実ターゲット間の関連関係を表示する表示ユニット５０６と、をさらに含む。
図４と図５に示す拡張現実サーチシステムによって拡張現実サーチ方法を実現する具体的なステップは上記の各好適な実施形態の記載を参照することができ、ここでは説明を省略する。
【００５６】
実施例２
本発明の実施例によると、好適な移動拡張現実サーチ方法を提供し、当該方法は主に、拡張現実コンテンツ取得要求に基づいて行い、図６に示すように、当該方法は以下のステップを含む。
移動拡張現実クライアントは、拡張現実コンテンツ取得要求にてパラメータを提供し（Ｓ６０２）、ここで、パラメータは、移動拡張現実サーバに拡張現実コンテンツの取得及び取得した拡張現実コンテンツに対応する拡張現実ターゲットに関連する拡張現実ターゲットのサーチを要求するためのものである。
移動拡張現実クライアントは、拡張現実コンテンツ取得要求を移動拡張現実サーバに送信する（Ｓ６０４）。
【００５７】
上記の好適な実施形態において、移動拡張現実クライアントが生成した拡張現実コンテンツ取得要求に関連する拡張現実ターゲットのサーチ指示情報を追加することによって、関連する拡張現実ターゲット及びそのコンテンツのサーチを実現し、既存技術において要求中の対象のみをサーチした際にサーチ結果が非全面的である問題を解決でき、拡張現実アプリ中のサーチされた情報がさらに全面的である技術効果を実現し、ユーザがさらに全面的な拡張現実情報を取得でき、拡張現実アプリのユーザ体験を向上させる。
【００５８】
好適な実施形態において、移動拡張現実クライアントは、移動拡張現実クライアント在パラメータに拡張現実ターゲット関連関係を指示する第１のインジケーターを追加することで、移動拡張現実サーバに取得した拡張現実コンテンツに対応する拡張現実ターゲットに関連する拡張現実ターゲットをサーチするように要求する方式で、拡張現実コンテンツ取得要求にてパラメータを提供する。ここで、当該拡張現実ターゲット関連関係は、包含関係、被包含関係、隣接関係、父親関係、子供関係、歴史関係、未来関係を含むが、これらの限定されることはない。当該第１のインジケーターは、「関連する拡張現実ターゲットサーチ関係」のパラメータ値であることができる。
【００５９】
移動拡張現実クライアントは、パラメータに他の指示情報を追加することもでき、好適な実施形態において、移動拡張現実クライアントはパラメータに第２のインジケーターを追加していて、ここで、第２のインジケーターは取得した拡張現実コンテンツに対応する拡張現実ターゲットに関連する拡張現実ターゲットのサーチを指示するためのものである。当該第２のインジケーターが「関連する拡張現実ターゲットサーチインジケーター」であることが好ましい。
【００６０】
好適な実施形態において、移動拡張現実クライアントが拡張現実コンテンツ取得要求にてパラメータを提供するステップは、移動拡張現実クライアントがパラメータに第３のインジケーターを携帯するステップを含み、ここで、第３のインジケーターは、移動拡張現実サーバに、取得した拡張現実コンテンツに対応する拡張現実ターゲットに関連する拡張現実ターゲットに対応する拡張現実コンテンツの取得を指示するためのものである。当該第３のインジケーターが「拡張現実コンテンツバッファインジケーター」であることが好ましい。
【００６１】
ステップＳ６０４の後に、移動拡張現実サーバは当該拡張現実コンテンツ取得要求に基づいて拡張現実ターゲットとコンテンツのサーチを行い、具体的なサーチは、図７に示すように、以下のステップを含む。移動拡張現実サーバは、移動拡張現実クライアントから送信された拡張現実コンテンツ取得要求を受信する（Ｓ７０２）。
移動拡張現実サーバは、拡張現実コンテンツ取得要求に携帯したパラメータに基づいて、取得して返送すべき拡張現実コンテンツをサーチする（Ｓ７０４）。
移動拡張現実サーバは、取得した拡張現実コンテンツに対応する拡張現実ターゲットに関連する拡張現実ターゲットをサーチする（Ｓ７０６）。
移動拡張現実サーバは、取得した拡張現実コンテンツ及び取得した拡張現実コンテンツに対応する拡張現実ターゲットに関連する拡張現実ターゲットの情報を移動拡張現実クライアントに返送する（Ｓ７０８）。
【００６２】
上記好適な実施形態において、移動拡張現実サーバは、拡張現実コンテンツ取得要求に携帯したサーチに関連する拡張現実ターゲットの指示情報に基づいて関連する拡張現実ターゲット及びそのコンテンツのサーチを行うことによって、既存技術において要求中の対象のみをサーチした際にサーチ結果が非全面的である問題を解決し、拡張現実アプリ中のサーチされた情報がさらに全面的である技術効果を実現し、ユーザがさらに全面的な拡張現実情報を取得でき、拡張現実アプリのユーザ体験を向上させる。
【００６３】
好適な実施形態において、移動拡張現実サーバは、パラメータ中の第１のインジケーターに基づいて、拡張現実ターゲット関連関係を確定し、取得した拡張現実コンテンツに対応する拡張現実ターゲットとの間で拡張現実ターゲット関連関係のある拡張現実ターゲットをサーチする方式で、拡張現実コンテンツに対応する拡張現実ターゲットに関連する拡張現実ターゲットをサーチすることができる。ここで、当該拡張現実ターゲット関連関係は、包含関係、被包含関係、隣接関係、父親関係、子供関係、歴史関係、未来関係を含むが、これらに限定されることはない。
【００６４】
好適な実施形態において、移動拡張現実サーバは、パラメータに、取得した拡張現実コンテンツに対応する拡張現実ターゲットに関連する拡張現実ターゲットのサーチを指示するための第２のインジケーターが存在するか否かを判定し、第２のインジケーターが存在すると、移動拡張現実サーバが、取得した拡張現実コンテンツに対応する拡張現実ターゲットに関連する拡張現実ターゲットをサーチする方式で、拡張現実コンテンツに対応する拡張現実ターゲットに関連する拡張現実ターゲットをサーチする。即ち、パラメータに第２のインジケーター（当該第２のインジケーターが関連する拡張現実ターゲットサーチインジケーターであることができる）が存在すると、取得した拡張現実コンテンツに対応する拡張現実ターゲットに関連する拡張現実ターゲットをサーチし、そうではないと、関連するターゲットのサーチを行わない。
【００６５】
好適な実施形態において、移動拡張現実サーバが拡張現実コンテンツに対応する拡張現実ターゲットに関連する拡張現実ターゲットをサーチした後、当該方法は、移動拡張現実サーバがパラメータに、取得した拡張現実コンテンツに対応する拡張現実ターゲットに関連する拡張現実ターゲットに対応する拡張現実コンテンツの取得を指示するための第３のインジケーターが存在するか否かを判定し、第３のインジケーターが存在すると、移動拡張現実サーバが取得した拡張現実コンテンツに対応する拡張現実ターゲットに関連する拡張現実ターゲットに対応する拡張現実コンテンツをサーチするステップをさらに含む。即ち、パラメータに第３のインジケーター（当該第３のインジケーターが拡張現実コンテンツバッファインジケーターであることができる）が存在すると、取得した拡張現実コンテンツに対応する拡張現実ターゲットに関連する拡張現実ターゲットに対応する拡張現実コンテンツをサーチし、そうではないと、関連するコンテンツのサーチを行わない。
【００６６】
本発明の実施例によると、好適な拡張現実サーチシステムを提供し、図８に示すように、当該システムは、移動拡張現実サーバ８０２と、移動拡張現実クライアント８０４と、を含み、ここで、当該移動拡張現実サーバ８０２は、移動拡張現実クライアントから送信される拡張現実コンテンツ取得要求を受信する第３の受信ユニット８０２２と、拡張現実コンテンツ取得要求に携帯したパラメータに基づいて、取得して返送すべき拡張現実コンテンツをサーチする第３のサーチユニット８０２４と、取得した拡張現実コンテンツに対応する拡張現実ターゲットに関連する拡張現実ターゲットをサーチする第４のサーチユニット８０２６と、取得した拡張現実コンテンツ及び取得した拡張現実コンテンツに対応する拡張現実ターゲットに関連する拡張現実ターゲットの情報を移動拡張現実クライアントに返送する第２の返送ユニット８０２８と、を含む。
【００６７】
当該移動拡張現実クライアント８０４は、拡張現実コンテンツ取得要求にて、移動拡張現実サーバに拡張現実コンテンツの取得及び取得した拡張現実コンテンツに対応する拡張現実ターゲットに関連する拡張現実ターゲットのサーチを要求するためのパラメータを提供する第２の提供ユニット８０４２と、拡張現実コンテンツ取得要求を移動拡張現実サーバに送信する第２の送信ユニット８０４４と、を含む。
図８に示す拡張現実サーチシステムによって拡張現実サーチ方法を実現するステップは上記の各好適な実施形態を参照することができるので、ここでは説明を省略する。図４と図５に示す拡張現実サーチシステムと図８に示す移動拡張現実システムが同時に存在することができれば、単独に存在することもでき、本発明において限定しない。
【００６８】
実施例３
本発明によると、好適な実施例で本発明はさらに解釈されるが、当該好適な実施例は本発明を説明するもので、本発明を限定するのではない。
本発明による関係型興味点（ＰＯＩ）に基づく移動拡張現実システムの構造は、図９に示すように、移動拡張現実サーバ１００と、拡張現実コンテンツサーバ２００と、通信ネットワーク３００と、移動拡張現実端末４００と、移動拡張現実クライアント５００と、を含む。
【００６９】
ここで、移動拡張現実サーバ１００は、移動拡張現実システムネットワーク側の機能エンティティで、移動拡張現実クライアント５００の要求及びユーザの拡張現実個性化及びコンテキスト設定に基づいて、拡張現実ターゲットをサーチし、拡張現実コンテンツを選択して取得し、図１０に示すように、主に以下の機能エンティティを含む。
移動拡張現実サーバ１００において受信した移動拡張現実クライアント５００の要求又は拡張現実ターゲット及び/又は拡張現実コンテンツ配送関連押送要求に基づいて、拡張現実ターゲットをサーチし、拡張現実コンテンツを選択して取得する拡張現実コンテンツ/ターゲット選択機能１１０と、
拡張現実ターゲットサーチ要求が携帯した拡張現実ターゲットサーチパラメータ及び拡張現実個性化及びコンテキストに基づいて、拡張現実ターゲットサーチ条件を構成し、拡張現実コンテンツ/ターゲット管理機能１２０に拡張現実ターゲットサーチ要求を送信し、条件を満たす拡張現実ターゲットを取得する拡張現実ターゲットサーチユニット１１１と、を含み、ここで、上記拡張現実ターゲットサーチパラメータは、
拡張現実ユーザ位置情報、例えば経度、緯度、
拡張現実ターゲットサーチ半径、サーチ種別、
拡張現実ターゲットタイプ、例えばＰＯＩ（興味点）、
拡張現実ターゲット特徴、例えば開放時間、価格区間、
関連する拡張現実ターゲットサーチインジケーター、
「包含」関係、「被包含」関係、「隣接」関係等を含む関連する拡張現実ターゲットサーチ関係、拡張現実コンテンツバッファインジケーター、例えばバッファ、非バッファの中の少なくとも一つを含むが、これらに限定されることはない。
【００７０】
上記の「関連する拡張現実ターゲットサーチインジケーター」は、整合された拡張現実ターゲットに関連する他の拡張現実ターゲットを同時にサーチするように指示するためのものである。拡張現実ターゲットサーチ要求に関連する拡張現実ターゲットサーチインジケーターが存在すると、拡張現実コンテンツ/ターゲット選択機能１１０は、サーチ整合によって返送した拡張現実ターゲット情報中の「RelationＳhip」関係属性、即ち、関連する拡張現実ターゲットサーチ関係に基づいて、他の関連する拡張現実ターゲットをさらにサーチし、そうではないと、拡張現実コンテンツ/ターゲット選択機能１１０はサーチ整合された拡張現実ターゲットのみを返送する。
【００７１】
上記の「関連する拡張現実ターゲットサーチ関係」は、関連する拡張現実ターゲットをサーチする際に従うサーチ関係依拠を示す。また、「包含」関係での関連する拡張現実ターゲットのサーチ又は「被包含」関係での関連する拡張現実ターゲットのサーチ又は「隣接」関係での関連する拡張現実ターゲットのサーチを示し、全ての関係での関連する拡張現実ターゲットのサーチとして認めることが好ましい。
【００７２】
上記の「拡張現実コンテンツバッファインジケーター」は、バッファに対応する拡張現実コンテンツを示し、即ち、拡張現実ターゲットサーチ要求に拡張現実コンテンツバッファインジケーターが存在すると、関連するターゲットの拡張現実コンテンツを取得する。
【００７３】
拡張現実コンテンツ取得ユニット１１２は、拡張現実コンテンツ取得要求に携帯した拡張現実コンテンツ取得パラメータ及び拡張現実個性化及びコンテキストに基づいて、拡張現実コンテンツ取得条件を構成し、拡張現実コンテンツ/ターゲット管理機能１２０に拡張現実コンテンツ取得要求を送信し、条件を満たす拡張現実コンテンツ集合を取得し、上記拡張現実コンテンツ取得パラメータは、
拡張現実コンテンツマーク又は関連する拡張現実ターゲットマーク、
拡張現実コンテンツ特徴、例えばメディアタイプ、課金価格、
関連する拡張現実ターゲットサーチインジケーター、「包含」関係、「被包含」関係、「隣接」関係等を含む関連する拡張現実ターゲットサーチ関係、
関連する拡張現実ターゲットに対応する拡張現実コンテンツのバッファを示す拡張現実コンテンツバッファインジケーターの中の少なくとも一つを含むが、これらに限定されることはない。
【００７４】
拡張現実コンテンツ/ターゲット管理機能１２０は、拡張現実ターゲットの配置、拡張現実コンテンツの発表に関する情報の記憶及び管理を行い、
少なくとも拡張現実ターゲットマーク、拡張現実ターゲットタイプ、分類、記述、対応する拡張現実コンテンツマーク、関連する拡張現実ターゲット関係情報を含み、また、少なくとも「包含」関係、「被包含」関係、「隣接」関係を含む関係型興味点（ＰＯＩ）に基づく拡張現実ターゲット情報管理と、
少なくとも、拡張現実コンテンツマーク、拡張現実ターゲットマーク、拡張現実コンテンツ発表状態、拡張現実コンテンツ配置規則、拡張現実コンテンツアクセスアドレス、アクセス制御戦略等を含む対応する拡張現実コンテンツ情報管理と、を含む。
【００７５】
拡張現実個性化及びコンテキスト機能１３０は、ユーザ個性化好み及びユーザコンテキストを管理し、ここで、ユーザ個性化好みは、サーチ半径、サーチ種別、拡張現実ターゲット特徴等の拡張現実ターゲットサーチ好みと、拡張現実コンテンツ特徴等の拡張現実コンテンツ取得好みと、関連する拡張現実ターゲットをサーチするか否かの関連する拡張現実ターゲットサーチ好みと、「包含」関係、「被包含」関係、「隣接」関係等の関連する拡張現実ターゲットサーチ関係の中の少なくとも一つを含むが、これらに限定されることはない。
【００７６】
ユーザコンテキストは、ユーザ地理位置、ユーザ表示情報等のユーザ状態と、スクリーンサイズ、残り電気量、記憶空間、メディア放送能力等の拡張現実端末状態の中の少なくとも一つを含むが、これらに限定されることはない。
【００７７】
拡張現実コンテンツサーバ２００は、拡張現実コンテンツ事業者がネットワーク側に配置した機能エンティティで、移動拡張現実サーバ中の既に発表した拡張現実ターゲット、例えば関係型興味点ＰＯＩを提供する。対応して、拡張現実コンテンツは、文字、画像、オーディオ、ビデオ等のマルチメディア情報を含む。
【００７８】
通信ネットワーク３００は、移動拡張現実サーバ１００と拡張現実端末４００との間でネットワーク通信リンクの有線及び無線通信ネットワークを提供する。
【００７９】
拡張現実端末４００は、ユーザが使用する拡張現実サービス機能を有する移動端末で、基本的な通信機能とユーザに拡張現実サービス体験を提供し、
リアルタイムにユーザ周囲の物理世界の実際風景情報（Camera View)を撮影して、一部のカメラはビデオメモリを有し、撮影した実際風景情報をバッファできるカメラ４１０と、
ユーザにカメラ５３１により撮影した実際風景情報が拡張現実コンテンツに飾られた拡張現実コンテンツビュー（Augmented Reality View、以下、ＡＲ  Ｖｉｅｗと略称）を表示する表示スクリーン４２０と、
全地球測位システム（ＧＰＳ）と衛星通信を行って、リアルタイムに端末位置情報（経度、緯度）を提供するＧＰＳモジュール、カメラ方向、地面との夾角等のユーザ端末状態を採集する羅針盤、センサー等４３０と、を含むことが好ましい。
【００８０】
移動拡張現実クライアント５００は、移動拡張現実サービスシステムの端末側の機能エンティティで、移動拡張現実サーバ１００に拡張現実ターゲットサーチ要求を送信し、拡張現実コンテンツを選択して取得し、拡張現実端末拡張現実アプリに移動拡張現実サービス支援能力を提供し、図１１に示すように、拡張現実端末３００で運行している拡張現実アプリの要求を受信すると共に、移動拡張現実サーバ１００に連絡して拡張現実ターゲットのサーチを要求し、拡張現実コンテンツを取得して、本発明において、サーチして返送した関連する拡張現実ターゲットを含む拡張現実ターゲット情報を拡張現実コンテンツ展示機能５２０に送信する拡張現実コンテンツ/ターゲット取得機能５１０と、
拡張現実端末３００の状態に応じて、前記拡張現実コンテンツ/ターゲット取得機能５１０が取得した拡張現実コンテンツとカメラ４１０が撮影した実際風景との表示スクリーン４２０上での融合表示を制御する拡張現実コンテンツ展示機能５２０と、
拡張現実コンテンツ/ターゲット取得機能５１０から送信された拡張現実ターゲット情報に含まれた関連する拡張現実ターゲットとの、少なくとも「包含」、「被包含」、「隣接」関係を含む関係情報を抽出する拡張現実ターゲット関係抽出ユニット５２１と、
ユーザ交換支援機能５３０から送信された拡張現実コンテンツ展示指示に応じて、拡張現実ターゲット関係抽出ユニット５２１が抽出した関連する拡張現実ターゲットとの関係情報を含む拡張現実コンテンツの展示を制御する拡張現実コンテンツ展示制御ユニット５２２と、少なくとも、
全体的な関連する拡張現実ターゲット関係の展示、即ち、全てのサーチして返送した拡張現実ターゲットとの間の関係情報、
単一の関連する拡張現実ターゲット関係の展示及び一つの拡張現実ターゲットに関連する関係情報の展示を含み、
ユーザ入力交換命令を受信し、拡張現実ターゲットのサーチ、拡張現実コンテンツの取得、展示等のサービスロジックをトリガーして、本発明において、ユーザが入力した拡張現実コンテンツ展示交換命令に応じて、拡張現実コンテンツ展示機能５２０に拡張現実コンテンツ展示制御に関連するサービスロジックを実行するように指示するユーザ交換支援機能５３０と、を含む。
【００８１】
本発明の実施例によると、関係型興味点に基づく移動拡張現実サーバによるサービス要求のサーチ方法を提供し、図１２に示すように、具体的に以下のステップを含む。移動拡張現実サーバは、移動拡張現実クライアントから送信された拡張現実サービス要求を受信する（ステップＳ１２０２）。
移動拡張現実サーバは、拡張現実サービス要求の種別を判定し、拡張現実サービス要求が「拡張現実ターゲットサーチ要求」であると、ステップＳ１２０６を実行し、拡張現実サービス要求が「拡張現実コンテンツ取得要求」であると、ステップＳ１２１６に移行する（ステップＳ１２０４）。
移動拡張現実サーバは、サーチパラメータを抽出して、整合された拡張現実ターゲットをサーチする（ステップＳ１２０６）。
移動拡張現実サーバは、拡張現実ターゲットサーチ要求中の「関連する拡張現実ターゲットサーチインジケーター」のサーチパラメータ値及び拡張現実個性化和拡張現実コンテキストに基づいて、関連する拡張現実ターゲットをサーチするか否かを判定し、拡張現実ターゲットサーチ要求が「関連する拡張現実ターゲットサーチインジケーター」を携帯していると、関連する拡張現実ターゲットをサーチする必要があると判定し、ステップＳ１２１０を実行し、拡張現実ターゲットサーチ要求に「関連する拡張現実ターゲットサーチインジケーター」を携帯していると、関連する拡張現実ターゲットをサーチする必要がないと判定し、ステップＳ１２１４を実行する（ステップＳ１２０８）。
移動拡張現実サーバは、「関連する拡張現実ターゲットサーチ関係」のサーチパラメータ値に基づいて、サーチ整合した拡張現実ターゲット関連する拡張現実ターゲットをサーチする（ステップＳ１２１０）。
移動拡張現実サーバは、サーチして得られた拡張現実ターゲット及び関連する拡張現実ターゲットを返送し、当該プロセスを終了する（ステップＳ１２１２）。
移動拡張現実サーバは、サーチして得られた拡張現実ターゲット情報を直接返送し、当該プロセスを終了する（ステップＳ１２１４）。
移動拡張現実サーバは、パラメータを抽出して得て、取得したパラメータに基づいて、対応する拡張現実コンテンツを取得する（ステップＳ１２１６）。
移動拡張現実サーバは、拡張現実コンテンツ取得要求中の「関連する拡張現実ターゲットサーチインジケーター」のサーチパラメータ値及び拡張現実個性化及び拡張現実コンテキストに基づいて、関連する拡張現実ターゲットをサーチする必要があるか否かを判定し、拡張現実コンテンツ取得要求に「関連する拡張現実ターゲットサーチインジケーター」を携帯していると、ステップＳ１２２０を実行し、拡張現実コンテンツ取得要求に「関連する拡張現実ターゲットサーチインジケーター」を携帯していないと、ステップＳ１２２２を実行する（ステップＳ１２１８）。
移動拡張現実サーバは、取得した拡張現実コンテンツを直接返送し、当該プロセスを終了する（ステップＳ１２２０）。
移動拡張現実サーバは、「関連する拡張現実ターゲットサーチ関係」のサーチパラメータ値に基づいて、取得した拡張現実コンテンツに関連する拡張現実ターゲットをサーチする（ステップＳ１２２２）。
移動拡張現実サーバは、「拡張現実コンテンツバッファインジケーター」のパラメータ値及び拡張現実個性化及び拡張現実コンテキストに基づいて、当該関連する拡張現実ターゲットに対応する拡張現実コンテンツを取得するか否かを判定し、拡張現実コンテンツ取得要求に「拡張現実コンテンツバッファインジケーター」を携帯していると、関連する拡張現実ターゲットに対応する拡張現実コンテンツを取得しないと判定し、ステップＳ１２２６を実行し、そうではないと、ステップＳ１２２８を実行する（ステップＳ１２２４）。
移動拡張現実サーバは、取得した拡張現実コンテンツと、サーチして得られた関連する拡張現実ターゲットを返送し、当該プロセスを終了する（ステップＳ１２２６）。
移動拡張現実サーバは、サーチして得られた関連する拡張現実ターゲットに基づいて、対応する拡張現実コンテンツを取得する（ステップＳ１２２８）。
移動拡張現実サーバは、取得した拡張現実コンテンツ及びサーチして得られた関連する拡張現実ターゲット情報と対応する拡張現実コンテンツを返送する（ステップＳ１２３０）。
【００８２】
本発明によると、関係型興味点に基づいて移動拡張現実クライアントが拡張現実サービス交換要求を生成する方法を提供し、図１３に示すように、具体的に以下のステップを含む。移動拡張現実クライアントは、ユーザの拡張現実サービス交換要求を受信する（ステップＳ１３０２）。
移動拡張現実クライアントは、拡張現実サービス交換要求の種別を判定する（ステップＳ１３０４）。
「拡張現実ターゲットサーチ要求」について、移動拡張現実クライアントは、具体的な交換指示情報に基づいて、関連する拡張現実ターゲットをサーチするか否かを判定し、ここで、交換指示情報は、ユーザの拡張現実ターゲット間の関係情報の調査要求又はユーザの好み設定等であることができ、関連する拡張現実ターゲットをサーチすると判定すると、ステップＳ１３０８を実行し、そうではないと、ステップＳ１３１０を実行する（ステップＳ１３０６）。
移動拡張現実クライアントは、拡張現実サービス交換要求に「関連する拡張現実ターゲットサーチインジケーター」を追加すると共に、「関連する拡張現実ターゲットサーチ関係」のサーチパラメータ値を設定することで、拡張現実ターゲットサーチ要求を生成して、当該拡張現実ターゲット要求を移動拡張現実サーバに送信し、当該プロセスを終了する（ステップＳ１３０８）。
移動拡張現実クライアントは、拡張現実サービス交換要求に「関連する拡張現実ターゲットサーチインジケーター」を追加せず、拡張現実ターゲットサーチ要求を生成して、当該拡張現実ターゲット要求を移動拡張現実サーバに送信して、当該プロセスを終了する（ステップＳ１３１０）。
「拡張現実コンテンツ取得要求」について、移動拡張現実クライアントはユーザ好みの設定に基づいて、関連する拡張現実ターゲットをサーチするか否かを判定し、関連する拡張現実ターゲットをサーチすると判定すると、ステップＳ１３１４を実行し、そうではないと、ステップＳ１３２０を実行する（ステップＳ１３１２）。
移動拡張現実クライアントは、さらに関連する拡張現実ターゲットに対応する拡張現実コンテンツを同時に取得するかを判定し、関連する拡張現実ターゲットに対応する拡張現実コンテンツを同時に取得すると判定した場合、ステップＳ１３１６を実行し、そうではないと、ステップＳ１３１８を実行する（ステップＳ１３１４）。
移動拡張現実クライアントは、「関連する拡張現実ターゲットサーチインジケーター」及び「拡張現実コンテンツ取得インジケーター」を追加して拡張現実コンテンツ取得要求を生成し、当該拡張現実コンテンツ取得要求を移動拡張現実サーバに送信し、当該プロセスを終了する（ステップＳ１３１６）。
移動拡張現実クライアントは、「関連する拡張現実ターゲットサーチインジケーター」を追加して拡張現実コンテンツ取得要求を生成し、当該拡張現実コンテンツ取得要求を移動拡張現実サーバに送信し、当該プロセスを終了する（ステップＳ１３１８）。
移動拡張現実クライアントは、「関連する拡張現実ターゲットサーチインジケーター」を追加せずに拡張現実コンテンツ取得要求を生成し、当該拡張現実コンテンツ取得要求を移動拡張現実サーバに送信する（ステップＳ１３２０）。
【００８３】
本発明によると、関係型興味点に基づいて移動拡張現実クライアントが拡張現実コンテンツを展示する方式を提供し、図１４に示すように、具体的に以下のステップを含む。移動拡張現実クライアントは、拡張現実コンテンツ展示要求を受信する（ステップＳ１４０２）。
移動拡張現実クライアントは、展示要求に指示された展示スタイルを判定し、展示スタイルが「全体的関連スタイル」であると判定された場合、ステップＳ１４０６を実行し、展示スタイルが「単一関連スタイル」であると判定された場合、ステップＳ１４０８を実行する（ステップＳ１４０４）。
「全体的関連スタイル」の場合、移動拡張現実クライアントは、全体的な関連する拡張現実ターゲットを抽出して展示して、当該プロセスを終了する（ステップＳ１４０６）。  「単一関連スタイル」の場合、移動拡張現実クライアントは、一つの拡張現実ターゲットに関連する拡張現実ターゲットを抽出して展示する（ステップＳ１４０８）。
【００８４】
本発明によると、拡張現実ターゲットのサーチを要求すると共に、関連する拡張現実ターゲットのサーチを要求する具体的な関係型興味点に基づく移動拡張現実方法を提供し、図１５に示すように、以下のステップを含む。
移動拡張現実クライアントは、収集して得られた拡張現実端末コンテキスト（例えば、経度、緯度）又は候補拡張現実ターゲット特徴（例えば、画像特徴記述子）に基づいて、拡張現実ターゲットサーチパラメータを生成し、移動拡張現実サーバに拡張現実ターゲットサーチ要求を送信する（ステップＳ１５０２）。当該拡張現実ターゲットサーチ要求に「関連する拡張現実ターゲットサーチインジケーター」及び「関連する拡張現実ターゲットサーチ関係」が追加されている。
移動拡張現実サーバは、拡張現実ターゲットサーチ要求に携帯したサーチパラメータを抽出し、調査条件を構成し、関係型興味点（ＰＯＩ）に基づく拡張現実ターゲット情報記憶をサーチし、整合された関連する拡張現実ターゲットとの関係情報を含む拡張現実ターゲット情報を返送する（ステップＳ１５０４〜Ｓ１５０６）。
移動拡張現実サーバは、関連する拡張現実ターゲットサーチ好みの設定、拡張現実コンテンツ/ターゲットろ過好みの設定等を含む拡張現実個性化及びコンテキストを調査する（ステップＳ１５０８〜Ｓ１５１０）。
サーチ要求中の「関連する拡張現実ターゲットサーチインジケーター」又は拡張現実個性化及びコンテキスト中の関連する拡張現実ターゲットサーチ好みの設定に基づいて、移動拡張現実サーバは、上述のサーチ整合して得た拡張現実ターゲット情報中の関係属性、例えば「包含」関係、「被包含」関係、「隣接」関係をサーチし、さらに、他の未整合の配関連する拡張現実ターゲットをサーチする（ステップＳ１５１２〜Ｓ１５１４）。
移動拡張現実サーバは、拡張現実コンテンツサーバにサーチ整合拡張現実ターゲットに対応する拡張現実コンテンツを取得するように要求する（ステップＳ１５１６〜Ｓ１５１８）。
移動拡張現実サーバは、拡張現実コンテンツ/ターゲットろ過好みの設定に基づいて、拡張現実コンテンツ/ターゲットろ過を実行し、移動拡張現実クライアントに関連する拡張現実ターゲット情報を含む拡張現実ターゲットサーチ応答を返送する（ステップＳ１５２０）。
移動拡張現実クライアントは、サーチして返送した拡張現実ターゲット情報を受信し、関連する拡張現実ターゲット情報を含む拡張現実ターゲット情報を抽出し（ステップＳ１５２２）、当該拡張現実ターゲット情報に関係属性を携帯し、移動拡張現実クライアントは、ユーザの全体的な関連スタイル展示要求を受信し、移動拡張現実クライアントは抽出した拡張現実ターゲット関係に基づいて、関連する拡張現実ターゲットを含む全体的な拡張現実ターゲット情報を展示する（ステップＳ１５２４）。
ユーザの単一の関連スタイル展示要求を受信した場合、移動拡張現実クライアントは、抽出した拡張現実ターゲット関係に基づいて、関連する拡張現実ターゲットを含む一つの拡張現実ターゲット情報を展示する（ステップＳ１５２６）。
【００８５】
本発明によると、拡張現実コンテンツを取得すると共に、関連する拡張現実ターゲットをサーチする具体的な関係型興味点に基づく移動拡張現実方法の実施例を提供し、図１６に示すように、当該方法は以下のステップを含む。
移動拡張現実クライアントは、ユーザの交換要求に応じて、拡張現実コンテンツ取得パラメータを生成し、移動拡張現実サーバに拡張現実コンテンツ取得要求を送信する（ステップＳ１６０２）。当該拡張現実コンテンツ取得要求に「関連する拡張現実ターゲットサーチインジケーター」及び「関連する拡張現実ターゲットサーチ関係」を追加している。移動拡張現実サーバは、拡張現実コンテンツ取得要求に携帯した取得パラメータを追加し、拡張現実コンテンツサーバに対応する拡張現実コンテンツを取得することを要求する（ステップＳ１６０４〜Ｓ１６０６）。
移動拡張現実サーバは、関連する拡張現実ターゲットサーチ好みの設定、拡張現実コンテンツ/ターゲットろ過好みの設定等を含む拡張現実個性化及びコンテキストを調査する（ステップＳ１６０８〜Ｓ１６１０）。取得要求中の「関連する拡張現実ターゲットサーチインジケーター」又は拡張現実個性化及びコンテキスト中の関連する拡張現実ターゲットサーチ好みの設定に基づいて、移動拡張現実サーバは対応する拡張現実ターゲット情報中の関係属性、例えば「包含」関係、「被包含」関係、「隣接」関係に基づいて、関連する拡張現実ターゲットをさらにサーチする（ステップＳ１６１２〜Ｓ１６１４）。
移動拡張現実サーバは、拡張現実コンテンツ/ターゲットろ過好みの設定に基づいて、拡張現実コンテンツ/ターゲットろ過を行って、移動拡張現実クライアントに関連する拡張現実ターゲット情報を含む拡張現実コンテンツ取得応答を返送する（ステップＳ１６１６）。
移動拡張現実クライアントは、返送された拡張現実コンテンツを受信し、拡張現実ターゲット関係属性に係わる関連する拡張現実ターゲット情報を抽出する（ステップＳ１６１８）。
ユーザの関連する拡張現実ターゲット展示要求を受信した場合、移動拡張現実クライアントは、抽出した関連する拡張現実ターゲット情報を展示する（ステップＳ１６２０）。
【００８６】
本発明によると、関連する拡張現実ターゲットのサーチを要求する具体的な関係型興味点に基づく移動拡張現実方法の実施例を提供し、図１７に示すように、当該方法は以下のステップを含む。
移動拡張現実クライアントは、収集して得られた拡張現実端末コンテキスト（例えば、経度、緯度）又は候補拡張現実ターゲット特徴（例えば：画像特徴記述子）に基づいて、拡張現実ターゲットサーチパラメータを生成し、移動拡張現実サーバに拡張現実ターゲットサーチ要求を送信する（ステップＳ１７０２）。
移動拡張現実サーバは、前記拡張現実ターゲットサーチ要求に携帯したサーチパラメータを抽出して、調査条件を構成し、関係型興味点（ＰＯＩ）に基づく拡張現実ターゲット情報記憶をサーチし、整合された関連する拡張現実ターゲットとの関係情報を含む拡張現実ターゲット情報を返送する（ステップＳ１７０４〜Ｓ１７０６）。
移動拡張現実サーバは、関連する拡張現実ターゲットサーチ好みの設定、拡張現実コンテンツ/ターゲットろ過好みの設定等を含む拡張現実個性化及びコンテキストを調査する（ステップＳ１７０８〜Ｓ１７１０）。
移動拡張現実サーバは、拡張現実コンテンツサーバにサーチ整合した拡張現実ターゲットに対応する拡張現実コンテンツを取得するように要求する（ステップＳ１７１２〜Ｓ１７１４）。
移動拡張現実サーバは、拡張現実コンテンツ/ターゲットろ過好みの設定に基づいて、拡張現実コンテンツ/ターゲットろ過を行って、移動拡張現実クライアントに拡張現実ターゲットサーチ応答を返送する（ステップＳ１７１６）。
移動拡張現実クライアントは、サーチして返送した拡張現実ターゲット情報を受信するが、拡張現実関係属性に係わる全ての関連する拡張現実ターゲット情報が含まれていない（ステップＳ１７１８）。
ユーザの関連する拡張現実ターゲット展示要求を受信した場合、移動拡張現実クライアントは拡張現実ターゲット関係属性を調査して、展示要求に係わっている関連する拡張現実ターゲットを確定する（ステップＳ１７２０）。
移動拡張現実クライアントは、移動拡張現実サーバに関連する拡張現実ターゲットサーチ要求を送信する（ステップＳ１７２２〜Ｓ１７２４）。
移動拡張現実サーバは、前記拡張現実ターゲットサーチ要求に携帯したサーチパラメータを抽出し、調査条件を構成し、関係型興味点（ＰＯＩ）に基づく拡張現実ターゲット情報記憶をサーチし、整合された拡張現実ターゲット情報を返送する（ステップＳ１７２６〜Ｓ１７２８）。
移動拡張現実サーバは、移動拡張現実クライアントに関連する拡張現実ターゲットサーチ応答を返送する（ステップＳ１７３０）。
移動拡張現実クライアントは、関連する拡張現実ターゲット情報展示を行う（ステップＳ１７３２）。
【００８７】
本発明の上記実施例に記載の関連関係は主に、次のものを含む。
包含関係、被包含関係、隣接関係等を含む地理位置関連関係。これらの関係をそれぞれ、興味点Ａと興味点Ｂとの関係を例に説明する。具体的に、
「包含」(ContainＳ)関係は、物理構造上、ある興味点（ＰＯＩ  Ａ）が他の興味点（ＰＯＩ  Ｂ）を含むことを表す。
「被包含」(Contained-within)関係は、物理構造上、ある興味点（ＰＯＩ  Ｂ）が他の興味点（ＰＯＩ  Ａ）に含まれることを表す。
「接近」(Adjacent-to)関係は、ある興味点（ＰＯＩ  Ａ）と他の興味点（ＰＯＩ  Ｂ）が地理位置上接近する位置に配置されることを表す。
父親関係、子供関係、相似関係等を含むロジック従属関連関係。これらの関係をそれぞれ、興味点Ａと興味点Ｂとの関係を例に説明する。具体的に、
「父親」(Parent)関係は、従属関係上、ある興味点（ＰＯＩ  Ａ）が他の興味点（ＰＯＩ  Ｂ）を持っている又はその父親であることを表す。
「子供」(Child)関係は、従属関係上、ある興味点（ＰＯＩ  Ｂ）が他の興味点（ＰＯＩ  Ａ）に所属される又はその子供であることを表す。
「類似」(Similar with)関係は、ある特徴上（種別、タイプ、価格）、ある興味点（ＰＯＩ  Ａ）と他の興味点（ＰＯＩ  Ｂ）が類似することを表す。
歴史関係、未来関係等を含む時間緯度関連関係。これらの関係をそれぞれ、興味点Ａと興味点Ｂとの関係を例に説明する。具体的に、
「歴史」(Historical)関係は、時間緯度上、ある興味点（ＰＯＩ  Ａ）と他の興味点（ＰＯＩ  Ｂ）が過去の歴史時刻に対応することを表す。
「未来」(Future)関係は、時間緯度上、ある興味点（ＰＯＩ  Ａ）が他の興味点（ＰＯＩ  Ｂ）の未来のある時刻に対応する興味点であることを表す。
【００８８】
上述のように、本発明によると、以下の技術的効果を実現できる。
本発明によると、関係型興味点（ＰＯＩ）に基づく移動拡張現実方法及びシステムを提供し、ユーザの現在位置又は端末が収集した画像に基づいて拡張現実ターゲットをサーチできると共に、付近に配置されたターゲットとの関連関係を結合して、ユーザに拡張現実興味点（ＰＯＩ）を返送できる。一方、ユーザがサーチして返送した拡張現実興味点（ＰＯＩ）間の関係情報を把握でき、その後のＰＯＩのアクセス操作、例えば隣接アクセス、親子アクセス、同類アクセス等の便宜を図ることができる。また、ユーザがサーチ範囲外の拡張現実興味点（ＰＯＩ）を事前に把握でき、他の興味のある拡張現実情報を逃すことを防止できる。
移動拡張現実サーバは、拡張現実ターゲットサーチ要求又は拡張現実コンテンツ取得要求に携帯した関連する拡張現実ターゲットのサーチ指示情報に基づいて、関連する拡張現実ターゲットのサーチを行うことによって、既存技術において、要求中の対象のみをサーチすることでサーチ結果が非全面的である問題を解決し、拡張現実アプリ中でサーチされた情報がさらに全面的である技術効果を実現し、ユーザがさらに全面的な拡張現実情報を取得でき、拡張現実アプリのユーザ体験を向上させる。
【００８９】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００９０】
以上は、本発明の好適な実施例に過ぎず、本発明を限定するものではない。当業者であれば本発明の様々な修正や変形が可能である。本発明の精神や原則内での如何なる修正、置換、改良なども本発明の保護範囲内に含まれる。
【図１】
0005970565.tif 000002
【図２】
0005970565.tif 000003
【図３】
0005970565.tif 000004
【図４】
0005970565.tif 000005
【図５】
0005970565.tif 000006
【図６】
0005970565.tif 000007
【図７】
0005970565.tif 000008
【図８】
0005970565.tif 000009
【図９】
0005970565.tif 000010
【図１０】
0005970565.tif 000011
【図１１】
0005970565.tif 000012
【図１２】
0005970565.tif 000013
【図１３】
0005970565.tif 000014
【図１４】
0005970565.tif 000015
【図１５】
0005970565.tif 000016
【図１６】
0005970565.tif 000017
【図１７】
0005970565.tif 000018